(57)【要約】      （修正有）【課題】ベランダに干した洗濯物が雨で濡れることがなく、使い勝手のよい洗濯物保護装置を提供する。【解決手段】洗濯物保護装置１は、天候センサ１０と、入力部２０と、表示部３０と、駆動部４０と、制御部５０とから構成される。ベランダに配設された天候センサ１０が雨を検出すると、駆動部４０によりベランダの外壁と対向する側に配設されたシートが伸張され、天候センサ１０が雨が止んだことを検出すると駆動部４０によりシートが格納される。【選択図】        図１
2004344211.tif 000002
【特許請求の範囲】
【請求項１】
ベランダ付き集合住宅のベランダに干された洗濯物を雨滴から保護するカバーと、
天候を観測するセンサと、
常時格納されているカバーの出し入れを行う駆動手段と、
制御装置と
を備え、
この制御装置は、前記センサが雨を検出すると、洗濯物を覆うように前記カバーを伸張させ、前記センサが雨が止んだことを検出すると、前記カバーを格納させるように前記駆動手段を制御するようにしたことを特徴とする洗濯物保護装置。
【請求項２】
請求項１記載の洗濯物保護装置において、
前記駆動装置は、前記ベランダの基部の上方に設けられ、前記カバーを格納位置から前記基部に向かって伸張させる
ことを特徴とする洗濯物保護装置。
【請求項３】
請求項１記載の洗濯物保護装置において、
前記駆動装置は、前記集合住宅の前記ベランダが設けられた側の外壁に配設され、前記カバーを格納位置から前記ベランダの基部に向かって伸張させる
ことを特徴とする洗濯物保護装置。
【請求項４】
請求項１記載の洗濯物保護装置において、
前記センサは、前記ベランダ近辺に取り付けられる
ことを特徴とする洗濯物保護装置。
【発明の詳細な説明】
【０００１】
【発明の属する技術分野】
本発明は、集合住宅のベランダに配設され、洗濯物を雨から保護する洗濯物保護装置に関する。
【０００２】
【従来の技術】
マンションやアパート等の集合住宅では、洗濯物を干す場所として、例えば図１０に示すようなベランダが使用される場合が多い。このようなベランダでは、洗濯物は上方に配設されたフック１０１等を利用して、洗濯竿やハンガー等に掛けて吊り下げられる。また、他のベランダの例としては、ベランダの床部分から洗濯竿等を支持する部材が配設されたものもある。このようなベランダでは、その部材に洗濯竿を掛けて、洗濯物を吊り下げる。
上述したようなベランダに洗濯物を干したまま外出した場合、雨が降ってくると、干してある洗濯物等が雨に当たってしまう。雨水には大気中の汚れが含まれていることから、雨に濡れた洗濯物は汚れてしまい、再び洗い直すことが必要となる。
【０００３】
そこで、従来では、外出する際にベランダの所定の部分をシート等で覆うことにより、洗濯物が雨に濡れないようにしていた（例えば特許文献１、２および３参照。）。
【０００４】
なお、出願人は、本明細書に記載された先行技術文献情報で特定される先行技術文献以外には、本発明に関連する先行技術文献を出願時までに発見するには至らなかった。
【０００５】
【特許文献１】
特開平１１−７６６８９号公報
【特許文献２】
特開平７−２６５５８８号公報
【特許文献３】
特開２０００−２７５５４６号公報
【特許文献４】
特開平１０−３０３１４号公報
【０００６】
【発明が解決しようとする課題】
しかしながら、従来は、洗濯物を干している場合、外出する度にシート等をベランダに設置しなければならなかった。このような作業は非常に手間がかかり、とても使い勝手が悪かった。
本願発明は、上述したような課題を解決するためになされたものであり、使い勝手のよい洗濯物保護装置を提供することを目的とする。
【０００７】
【課題を解決するための手段】
上述したような課題を解決するために本発明にかかる洗濯物保護装置は、ベランダ付き集合住宅のベランダに干された洗濯物を雨滴から保護するカバーと、天候を観測するセンサと、常時格納されているカバーの出し入れを行う駆動手段と、制御装置とを備え、この制御装置は、前記センサが雨を検出すると、洗濯物を覆うように前記カバーを伸張させ、前記センサが雨が止んだことを検出すると、前記カバーを格納させるように前記駆動手段を制御するようにしたことを特徴とする。この洗濯物保護装置によれば、天候の状況に応じて自動的にカバーの配設および格納が行われる。
【０００８】
上記洗濯物保護装置において、駆動装置は、前記ベランダの基部の上方に設けられ、前記カバーを格納位置から前記基部に向かって伸張させるようにしてもよい。
また、上記洗濯物保護装置において、駆動装置は、前記集合住宅の前記ベランダが設けられた側の外壁に配設され、前記カバーを格納位置から前記ベランダの基部に向かって伸張させるようにしてもよい。
ここで、基部とは、ベランダの床部分と、この床部分から立設される手摺または外壁との接合部のことを意味し、特に集合住宅の外壁と略平行な部分の接合部のことを意味する。
【０００９】
【発明の実施の形態】
［第１の実施の形態］
以下、図面を参照して、本発明の第１の実施の形態について詳細に説明する。本実施の形態にかかる洗濯物保護装置１は、図１によく示されるように、天候センサ１０と、入力部２０と、表示部３０と、駆動部４０と、制御部５０とから構成される。
【００１０】
天候センサ１０は、集合住宅の屋上等に配設され、外部の雨量を検出する雨量センサ１１と、外部の風力や風向等を検出する風力センサ１２と、外部の温度を検出する温度センサ１３と、外部の気圧を検出する気圧センサ１４とから構成される。これらのセンサは、それぞれ公知のセンサから構成され、検出した情報は、制御部５０に送出される。
なお、天候センサ１０は、洗濯物保護装置１が配設されるベランダごとに設けることもできる。このベランダに天候センサ１０を配設する位置は、雨滴を観測できる位置であるなら適宜自由に設定することができる。このような構成を採ることにより、洗濯物保護装置１は、集合住宅の住戸ごとに配設することができる。
【００１１】
入力部２０は、ボタン、キー、タッチパネル等の公知の入力手段から構成され、洗濯物保護装置１の利用者による操作入力を検出し、制御部５０に送出する。表示部３０は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）等の公知の表示装置から構成され、制御部５０から受信する洗濯物保護装置１の設定状況や外部の天候情報等の各種情報を表示する。
これらの入力部２０および表示部３０は、台所や玄関等の利用者の目に付く場所に配設される。
【００１２】
駆動部４０は、図２、３によく示されるように、手摺１０２を含めて断面略Ｌ字状に形成された集合住宅のベランダにおいて、水平方向におけるフック１０１と手摺１０２の間の天井２０１に一端が取り付けられ、駆動部４０全体を吊り下げる一対の支持部４１ａ、４１ｂから構成される吊下部４１と、この吊下部４１により両端を天井２０１直下付近に吊下支持され、手摺１０２に対して略平行に配設されるローラ４２と、このローラ４２に一端が接続されかつ巻きつけられる耐水性を有するシート４３と、支持部４１ｂによりローラ４２の回転軸に駆動軸４４ａをそれぞれの軸線が一致するように支持され、制御部５０の指示に基づいてローラ４２を回転させるモータ４４と、吊下部４１によりローラ４２の両端部直下付近に吊下支持され、制御部５０の指示に基づいて一端が接続された上フレーム４６ａをローラ４２の軸線方向に対して水平方向に垂直な向きを回転軸として回転させる公知のモータ等からなる一対の回動部４５と、一対の上フレーム４６ａと一対の下フレーム４６ｂとをそれぞれ接続する一対の接続部４６ｃが、この接続部４６ｃを軸に回動部４５の回転方向と同じ方向に上フレーム４６ａと下フレーム４６ｂとを回動可能に接続し、一対の下フレーム４６ｂの接続部４６ｃに接続していない方の端部に、ローラ４２の軸線方向と略平行に両端付近が接続される軸４６ｄにシート４３のローラ４２に接続された端部に対向する端部が接続される移動部４６とから構成される。
このように駆動部４０は、ベランダの外壁２０３と対向する側にシート４６を配設し、天井２０１と協働してフック１０１の上方および一側面を覆うことにより、洗濯物が雨に当たることを防ぐ。
【００１３】
吊下部４１は、支持部４１ａ、４１ｂから構成され、金属等の剛性に優れた材料からなり、それぞれの一端がベランダの天井２０１に強固に取り付けられ、他端でローラ４２、モータ４４、回動部４５を吊下支持する。なお、吊下部４１は、屋外に配設されるため、防錆加工等が施されていることがより望ましい。
【００１４】
ローラ４２は、シート４３の一端を軸線と平行に自身に取り付け、かつ巻きつける略円柱形状を有する。モータ４４が回転することにより、ローラ４２は、シート４３の巻き取りおよび引き出しを行う。
シート４３は、水を透過せず、引っ張り強度に優れ、計時変化が少ない材料から構成され、正方形または長方形の形状を有し、その一端がローラ４２に取り付けられ、この端部に対向する端部が軸４６ｄに取り付けられる。
なお、シート４３は、例えば板状の部材を巻き取り可能に組み合わせたものやブラインドなど、水を透過させない部材であるならば上述したようなシートに限定されず、適宜自由に変更することができる。
【００１５】
モータ４４は、公知のモータから構成され、制御部５０の指示に基づいて正逆の何れかの方向に回転する。
回動部４５は、公知のモータから構成され、制御部５０の指示に基づいて正逆の何れかの方向に回転する。
なお、モータ４４と回動部４５とは、制御部５０の指示に基づいて、連動して回転する。これにより、シート４３は、たるまずにローラ４２に巻き取られ、かつたるまずにローラ４２から引き出される。すなわち、図３に示すように、シート４３を引き出す場合、回動部４５が上フレーム４６ａの一端を軸にこの上フレーム４６ａを水平方向から鉛直方向に回転させると、この回転に伴ってモータ４４がローラ４２からシート４３を引き出す方向（以下、正方向という）に回転する。同様に、シート４３を巻き取る場合、回動部４５が上フレーム４６ａの一端を軸にこの上フレーム４６ａを鉛直方向から水平方向に回転させると、この回転に伴ってモータ４４がローラ４２にシート４３を巻き取る方向（以下、逆方向という）に回転する。
【００１６】
移動部４６は、それぞれ金属等の剛性の高い材料から構成され、回動部４５が上フレーム４６ａを回転させることにより、軸４６ｄが鉛直方向に移動する。このような移動部４６は、軸４６ｄとローラ４２によりシート４３の上下を支持することにより、シート４３をたるませずにベランダの外壁２０３と対向する側に伸張することができる。これにより、シート４３が外観上美しく広げられ、かつ洗濯物に雨が当たることを効率的に防ぐことができる。また、上フレーム４６ａおよび下フレーム４６ｂにより軸４６ｄが強固に支持されるため、これに伴いシート４３も強固に支持されるので、耐風性が向上する。
【００１７】
制御部５０は、公知のコンピュータ等から構成され、天候センサ１０や入力部２０から受信する情報に基づいて、駆動部４０に指示を出し、かつ表示部３０に動作状況や天候情報等を表示させる。このような制御部５０は、ハードウェア手段とソフトウェア手段とが協働することにより、洗濯物保護装置１の各種機能を実現する。
【００１８】
次に、図４を参照して、本実施の形態にかかる洗濯物保護装置１の動作について説明する。図４は、洗濯物保護装置１の動作を示すフローチャートである。
雨量センサ１１が集合住宅外部において降雨を検出すると（ステップＳ４０１：ＹＥＳ）、制御部５０が駆動部４０に格納されている、すなわちローラ４２に巻き取られているシート４３を伸張させる指示を出し、モータ４４と回動部４５が動作することにより、シート４３がベランダの天井２０１付近から基部２０４に向かって引き出される（ステップＳ４０２）。これにより、洗濯物保護装置１は、雨が降ると自動的にシート４３を伸張するので、洗濯物が雨に当たるのを防ぐことができる。
この際、表示部３０には、集合住宅外部の天候の情報およびシート４３を伸張していることが表示される。
【００１９】
雨が降っている際に、風力センサ１２が集合住宅外部の風力が所定の値を超えたことを検出すると（ステップＳ４０３：ＹＥＳ）、制御部５０が駆動部４０にシートを格納する指示を出し、モータ４４と回動部４５が動作することにより、シート４３が巻き取られる（ステップＳ４０５）。このような構成を採ることにより、本実施の形態にかかる洗濯物保護装置１は、台風等により突風が吹いた場合にシート４３を格納するので、洗濯物保護装置１が破損することを防ぐことができる。
この際、表示部３０には、集合住宅外部の天候の情報およびシート４３を格納したことが表示される。
【００２０】
雨量センサ１１が雨が止んだことを検出すると（ステップＳ４０４：ＹＥＳ）、制御部５０が駆動部４０にシートを格納する指示を出し、モータ４４と回動部４５が動作することにより、シート４３が巻き取られる（ステップＳ４０５）。これにより、本実施の形態にかかる洗濯物保護装置１は、雨が止むと自動的にシート４３が格納されるので、洗濯物を効率的に乾かすことができる。
この際、表示部３０には、集合住宅外部の天候の情報およびシート４３を格納したことが表示される。
【００２１】
なお、例えば洗濯物をベランダに干していない等の場合、利用者が入力部２０を操作することにより、シート４３が伸張されないようにすることもできる。
【００２２】
［第２の実施の形態］
次に、図５を参照して、本発明にかかる第２の実施の形態について説明する。なお、第２の実施の形態は、上述した第１の実施の形態の駆動部４０を駆動部６０に変形したものである。ゆえに、第１の実施の形態と同等の構成には同等の名称を付し、説明を適宜省略する。
駆動部６０は、上述した駆動部４０と同等の場所、すなわち図２に示す水平方向におけるフック１０１と手摺１０２の間の天井２０１に一端が取り付けられ、駆動部６０全体を吊り下げる一対の支持部６１ａ、６１ｂから構成される吊下部６１と、この吊下部６１により両端を天井２０１直下付近に吊下支持され、ベランダの手摺に対して略平行に配設されるローラ６２と、このローラ６２に一端が接続されかつ巻きつけられる耐水性を有するシート６３と、支持部６１ｂによりローラ６２の回転軸に駆動軸６４ａをそれぞれの軸線が一致するように支持され、制御部５０の指示に基づいてローラを回転させるモータ６４とから構成される。
【００２３】
駆動部６０は、モータ６４が正方向に回転するとシート６３が引き出され、モータ６４が逆方向に回転するとシート６３が巻き取られる。駆動部６０がこのような構成を採ることにより、ベランダの外壁２０３と対向する側にシート６３を伸張し、天井２０１と協働してフック１０１の上方および一側面を覆うことにより、洗濯物が雨に当たることを防ぐ。
【００２４】
このように本実施の形態にかかる洗濯物保護装置１は、図２，３で示した駆動部４０の替わりに上述した駆動部６０を適用しても、雨が降ると自動的にシート６３が伸張され、雨が止むと自動的にシート６３が格納されるので、とても使い勝手がよい。
【００２５】
［第３の実施の形態］
次に、図６を参照して、本発明にかかる第３の実施の形態について説明する。なお、第３の実施の形態は、上述した第１の実施の形態の駆動部４０を駆動部７０に変形したものである。ゆえに、第１の実施の形態と同等の構成には同等の名称を付し、説明を適宜省略する。
【００２６】
駆動部７０は、上述した駆動部４０と同等の場所、すなわち図２に示す水平方向におけるフック１０１と手摺１０２の間の天井２０１に一端が取り付けられ、駆動部７０全体を吊下支持する一対の支持部７１ａ、７１ｂから構成される吊下部７１と、この吊下部７１により両端を天井２０１直下付近に吊下支持され、ベランダに配設された手摺１０２に対して略平行に配設されるローラ７２と、このローラ７２に一端が接続されかつ巻きつけられる耐水性を有するシート７３と、支持部７１ｂによりローラ７２の回転軸に駆動軸７４ａをそれぞれの軸線が一致するように支持され、制御部５０の指示に基づいてローラ７２を回転させるモータ７４と、吊下部７１によりローラ７２の両端部直下付近に吊下支持され、制御部５０の指示に基づいて一端が接続された回動軸７６を鉛直方向に回転させる公知のモータ等からなる一対の回動部７５と、この回動部に一端が接続され表面に溝７６ａが切ってある回動軸７６と、シート７３のローラ７２に接続された端部に対向する端部が接続された軸７７ａの両端を接続部７７ｂにより回動軸７６に接続される移動部７７とから構成される。
このように駆動部７０は、ベランダの外壁２０３と対向する側にシート７３を伸張し、天井２０１と協働してフック１０１の上方および一側面を覆うことにより、洗濯物が雨に当たることを防ぐ。
【００２７】
モータ７４と回動部７５とは、制御部５０の指示に基づいて、連動して回転する。これにより、シート７３は、たるまずにローラ７２に巻き取られ、かつたるまずにローラ７２から引き出される。
【００２８】
一対の回動軸７６は、金属等の剛性に優れた材料から構成され、表面には溝７６ａが切ってある。この溝７６ａは、回動軸７６が回動部７５により回転すると、接続部７７ｂと協働して移動部７７を鉛直方向に移動させる。
なお、回動軸７６は、回動部７６に接続されていない端部を、ベランダの床部分に配設することもできる。これにより、回動軸７６がベランダに強固に取り付けれるので、洗濯物保護装置１は、耐風性が向上する。
【００２９】
移動部７７は、金属等の剛性に優れた材料から構成され、軸７７ａの軸線が水平になるように一対の接続部７７ｂが回動軸７６に取り付けられている。接続部７７ｂには、回動軸７６が貫通する孔が空けられている。この孔には溝７６ａに対応する溝が切ってあり、これにより接続部７７ｂは、回動軸７６に対して移動可能に螺合する。移動部７７は、回動軸７６が回転すると、接続部７７ｂと回動軸７６が協働し、それぞれに切られた溝の作用で鉛直方向に移動する。
【００３０】
このように本実施の形態にかかる洗濯物保護装置１は、図２、３で示した駆動部４０の替わりに上述した駆動部７０を適用しても、雨が降ると自動的にシート７３が伸張され、雨が止むと自動的にシート７３が格納されるので、とても使い勝手がよい。
【００３１】
［第４の実施の形態］
次に、図７〜９を参照して、本発明にかかる第４の実施の形態について説明する。なお、第４の実施の形態は、上述した第１の実施の形態の駆動部４０を駆動部８０に変形したものである。ゆえに、第１の実施の形態と同等の構成には同等の名称を付し、説明を適宜省略する。
第４の実施の形態は、図７、８によく示されるように、床２０２から洗濯竿等を支持する支持部材１０３が鉛直上方に形成されたベランダまたは天井部分がないベランダに配設されるものである。
【００３２】
駆動部８０は、自身の軸線が手摺１０２の長手方向と略平行にかつ手摺１０２と対向する側の集合住宅の外壁２０３の上部に両端が取り付けられる棒状の部材８１と、その外壁２０３の部材８１の両端が取り付けられている下方に、自身の軸線が手摺１０２の長手方向と略平行にかつ両端が固定される一対の棒状の根元部８２と、一対の棒状の部材からなり、それぞれの一端がそれぞれ異なる根元部８２に回動可能に固定され、他端同士で棒状の部材からなる接続部８３ａ、８４ａ、８５ａの両端をこれらの接続部８３ａ、８４ａ、８５ａの軸線が手摺１０２と略平行になるように支持する３組のフレーム８３、８４、８５と、部材８１に一端が取り付けられ、接続部８３ａに他端が取り付けられ、部材８１と接続部８３ａとの間の所定の位置が接続部８４ａ、８５ａとに取り付けられる耐水性を有するシート８６と、外壁２０３の部材８１の両端が取り付けられている下方付近に取り付けられ、フレーム８３の接続部８３ａを支持している両端部または接続部８３ａの両端に一端が接続されたロープ８７の他端が回動軸に接続され、そのロープ８７の巻き取りおよび引き出しを行う一対のモータ８８とから構成される。
【００３３】
部材８１は、金属や強化プラスチック等の剛性を有する部材から構成され、外壁２０３のベランダが設けられている側の上方に配設される。このような部材８１には、シート８６の一端が取り付けられている。
根元部８２は、金属や強化プラスチック等の剛性を有する部材から構成され、外壁２０３のベランダが設けられている側の所定の位置に配設される。この所定の位置とは、根元部８２に一端が回動可能に接続されたフレーム８３、８４、８５の他端が、フレーム８３、８４、８５が移動する際に手摺１０２、床２０２および天井２０１に接触しない位置である。
【００３４】
フレーム８３、８４、８５は、それぞれ金属や強化プラスチック等の剛性を有する一対の棒状の部材から構成され、一端が根元部８２に回動可能に接続され、それぞれの他端同士で金属や強化プラスチック等の剛性を有する棒状の部材からなる接続部８３ａ、８４ａ、８５ａの両端を支持している。この接続部８３ａ、８４ａ、８５ａは、図７または９によく示されるように、それぞれシート８６の所定の位置（接続部８３ａはシート８６の端部、接続部８４ａ、８５ａはシート８６の面積を約３等分に分割する位置）に取り付けられる。また、フレーム８３、８４、８５は、根元部８２を中心に移動する際、根元部８２に取り付けられていない方の端部がベランダ、手摺１０２またはベランダ床部分に対向する天井２０１に接触しない長さを有する。
【００３５】
ロープ８７は、金属等からなるワイヤや合成繊維等からなる引っ張り強度に優れた紐から構成される。
モータ８８は、公知のモータから構成され、制御部５０の指示に基づいて、回動軸８８ａに巻き取られるロープ８７の巻き取りおよび引き出しを行う。
【００３６】
雨が降っていない場合、駆動部８０は、図８に示すような格納された状態、すなわちロープ８７が巻き取られた状態にある。
制御部５０の指示によりモータ８８がロープ８７の引き出しを行うと、ロープ８７の一端が接続されたフレーム８３の接続部８３ａが接続された方の端部は、根元部８２を中心に円弧の軌跡を描くようにして、基部２０４の方向に移動する。これに伴って、フレーム８４および８５の接続部８４ａおよび８５ａが接続された方の端部も、根元部８２を中心に円弧の軌跡を描くようにして、基部２０４の方向に移動する。接続部８３ａがベランダの床２０２と接触または床２０２に近接する長さまでロープ８７が引き出されると、図７によく示されるように、シート８６が、支持部材１０３を覆うように配設される。この際、接続部８３ａ、８４ａおよび接続部８５ａは、自身およびフレーム８３、８４および８５の重さにより、シート８６をたるまない状態で支持部材１０３を覆うように伸張する。また、シート８６の長さは、接続部８３ａがベランダの床部分に接触または接触する寸前の状態で、シート８６が接続部８３ａ、８４ａおよび８５ａによりたるまない状態に配設される長さに設定される。
このように、駆動部８０は、支持部材１０３の上方と一側面を連続して覆うことにより、洗濯物が雨に当たることを防ぐことができる。
【００３７】
雨が上がると、図７または図９に示すようにシート８６が伸張された状態の駆動部８０は、制御部５０の指示によりモータ８８がロープ８７を巻き取り、フレーム８３の接続部８３ａが接続された方の端部が根元部８２を中心に円弧の軌跡を描くようにして部材８１の方向に移動するのに伴って、フレーム８４および８５も接続部８４ａ、８５ａが接続された方の端部が根元部８２を中心に円弧の軌跡を描くようにして、部材８１の方向に移動し、図８に示すように接続部８３ａ、８４ａおよび８５ａが部材８１に近接した状態になる。この際、シート８６は、部材８１および接続部８３ａ、８４ａ、８５ａにより、それぞれの間に挟まれた状態に畳まれる。
【００３８】
このように本実施の形態にかかる洗濯物保護装置１は、図２、３で示した駆動部４０の替わりに上述した駆動部８０を適用しても、雨が降ると自動的にシート８３が伸張され、雨が止むと自動的にシート８３が格納されるので、とても使い勝手がよい。
【００３９】
なお、本実施の形態において、フレーム８３は、ロープ８７を介してモータ８８により移動制御されるように説明したが、フレーム８３の移動制御はこのような方法に限定されず、適宜自由に設定することができる。例えば、根元部８２にモータを設け、このモータによりフレーム８３を移動させることもできる。
【００４０】
また、第１〜４の実施の形態において、洗濯物保護装置１は、天候センサ１０が検出する気圧、温度等の天候に関する情報に基づいて将来の天候を予測し、あらかじめシートを保護位置に配設することもできる。これにより本実施の形態にかかる洗濯物保護装置１は、洗濯物に雨が当たることを確実に防ぐことができる。
【００４１】
さらに、第１〜４の実施の形態において、制御部５０をインターネットやＬＡＮ（Ｌｏｃａｌ  Ａｒｅａ  Ｎｅｔｗｏｒｋ）等に接続可能な通信回線に接続し、利用者が所持する携帯電話やＰＤＡ（Ｐｅｒｓｏｎａｌ  Ｄｉｇｉｔａｌ  Ａｓｓｉｓｔａｎｔ）等の携帯端末装置からメール等を受信すると、駆動部を駆動させるようにしてもよい。これにより、利用者が住居から離れた場所にいる場合にも、利用者の意志で洗濯物保護装置１を駆動させることができる。
【００４２】
【発明の効果】
以上説明したように本発明にかかる洗濯物保護装置は、センサが雨を検出すると自動的にカバーが伸張され、センサが雨が止んだことを検出すると自動的にカバーが格納されるので、とても使い勝手がよい。
また、本発明によれば、カバーにより確実に洗濯物が覆われるので、洗濯物が雨滴に当たることを防ぐことができる。
さらに、本発明によれば、洗濯物保護装置は、ベランダごとに設けることができる。
【図面の簡単な説明】
【図１】第１の実施の形態にかかる洗濯物保護装置の構成を示すブロック図である。
【図２】第１の実施の形態にかかる洗濯物保護装置の概略を示す断面図である。
【図３】（ａ）駆動部４０の構造を示す側面図、（ｂ）駆動部４０の構造を示す正面図である。
【図４】第１の実施の形態にかかる洗濯物保護装置の動作を示すフローチャートである。
【図５】（ａ）駆動部６０の構造を示す側面図、（ｂ）駆動部６０の構造を示す正面図である。
【図６】（ａ）駆動部７０の構造を示す側面図、（ｂ）駆動部７０の構造を示す正面図である。
【図７】保護位置にある駆動部８０の構造を示す側面図である。
【図８】格納位置にある駆動部８０の構造を示す側面図である。
【図９】保護位置にある駆動部８０の構造を示す正面図である。
【図１０】ベランダの構成を示す図である。
【符号の説明】
１…洗濯物保護装置、１０…天候センサ、１１…雨量センサ、１２…風力センサ、１３…温度センサ、１４…気圧センサ、２０…入力部、３０…表示部、４０…駆動部、４１…吊下部、４１ａ、４１ｂ…支持部、４２…ローラ、４３…シート、４４…モータ、４４ａ…駆動軸、４５…回動部、４６…移動部、４６ａ…上フレーム、４６ｂ…下フレーム、４６ｃ…接続部、４６ｄ…軸、５０…制御部、６０…駆動部、６１ａ、６１ｂ…支持部、６２…ローラ、６３…シート、６４…モータ、６４ａ…駆動軸、７０…駆動部、７１…吊下部、７１ａ、７１ｂ…支持部、７２…ローラ、７３…シート、７４…モータ、７４ａ…駆動軸、７５…回動部、７６…回動軸、７６ａ…溝、７７…移動部、７７ａ…軸、７７ｂ…接続部、８０…駆動部、８１…部材、８２…根元部、８３、８４、８５…フレーム、８３ａ、８４ａ、８５ａ…接続部、８６…シート、８７…ロープ、８８…モータ。
【図１】
2004344211.tif 000003
【図２】
2004344211.tif 000004
【図３】
2004344211.tif 000005
【図４】
2004344211.tif 000006
【図５】
2004344211.tif 000007
【図６】
2004344211.tif 000008
【図７】
2004344211.tif 000009
【図８】
2004344211.tif 000010
【図９】
2004344211.tif 000011
【図１０】
2004344211.tif 000012